(57)【要約】通常、マルチセッションディスクは逆行ポインタ（P）を設けられている。ここでは、そのようなポインタ（P）を設けることなくマルチセッションディスクをナビゲートすることが可能であることが開示される。オーディオデータのコピープロテクトのはたらきもするマルチセッション光ディスクは第一のオーディオセッション（４０）と第二のデータセッション（６０）を有する。データセッション（６０）はリードイン（LI）、プログラム領域（３２）およびリードアウト（LO）を有する。データセッション内のファイルを同定する制御データを含む一次ボリューム記述子（５０）ももつが、そのセッション（６０）のリードアウト（LO）からはプログラム領域（３２）のいかなる部分へのポインタも存在しない。オーディオセッション（４０）は、リードイン（LI）とリードアウト（LO）の間に広がるプログラム領域（３２）を有する。オーディオ情報をコピープロテクトするためには、オーディオデータ（４０）はデータリーダーから隠される。たとえば、オーディオセッション（４０）へのリードイン（LI）およびデータセッション（６０）へのリードイン（LI）はそれぞれオーディオセッション内のデータを誤ってデータとして同定してもよい。
2007510245.tif 000002
【特許請求の範囲】
【請求項１】
コンテンツと該コンテンツへのアクセスを可能にするための制御データとを担持する光ディスクであって、前記コンテンツはディスク上で少なくとも二つの別個の相続くセッションに配置されており、ディスク上の各セッションはリードイン、プログラム領域およびリードアウトを有しており、どのセッションもリードアウトからその同じセッションの制御データを参照するポインタを有さないことを特徴とする光ディスク。
【請求項２】
ディスク上のどのセッションも、そのリードアウトから、その同じセッションの一次ボリューム記述子を参照またはアドレス指定するポインタを有さないことを特徴とする、請求項１記載の光ディスク。
【請求項３】
ディスク上に２つないし５つのセッションがあることを特徴とする、請求項１記載の光ディスク。
【請求項４】
前記コンテンツがディスク上で第一および第二の別個のセッションに構成されていることを特徴とする、請求項１記載の光ディスク。
【請求項５】
請求項１記載の光ディスクであって、当該光ディスクの渦巻き状トラックに沿って内側領域から外側領域に向けてシーケンシャルに配列された複数の個々のセッションを有しており、前記セッションのそれぞれはリードイン、プログラム領域およびリードアウトを有し、ディスク上の前記セッションのどれも前記リードアウトからの、その同じセッションのプログラム領域を参照またはアドレス指定するポインタをもたないことを特徴とする光ディスク。
【請求項６】
当該光ディスク上の前記内側領域から広がる第一のセッションが、プログラム領域に含まれるオーディオデータをもつオーディオセッションであることを特徴とする、請求項５記載の光ディスク。
【請求項７】
前記第一のセッションに続くセッションまたは複数あるうちの各セッションがデータセッションであり、前記データセッションがそのプログラム領域に一次ボリューム記述子を有しており、各データセッションのリードアウトからそのセッションの一次ボリューム記述子を参照またはアドレス指定するポインタが設けられていないことを特徴とする、請求項６記載の光ディスク。
【請求項８】
第一のオーディオセッションと少なくとも一つの後続データセッションとを有し、コピープロテクトされたオーディオディスクであることを特徴とする、請求項７記載の光ディスク。
【請求項９】
コンテンツおよび該コンテンツへのアクセスを可能にするための制御データを担持する光ディスクであって、前記コンテンツはディスク上で少なくとも二つの別個の相続くセッションに配置されており、ディスク上の各セッションはリードイン、プログラム領域およびリードアウトを有しており、セッションへのリードイン内で該セッションのフォーマットを同定するのに使われる情報が、当該セッションのフォーマットに関わりなくあらかじめ設定されていることを特徴とする光ディスク。
【請求項１０】
請求項９記載の光ディスクであって、各セッションのリードインがモード１におけるQデータによって定義されており、リードインにおけるPOINTが$A0でありよってリードインにおけるPsecがセッションのフォーマットを同定するものであり、ここで、セッションのフォーマットに関わりなくPsecが00にセットされていることを特徴とする、請求項９記載の光ディスク。
【請求項１１】
コンテンツと該コンテンツへのアクセスを可能にするための制御データとを担持するコピープロテクトされたオーディオディスクであって、前記コンテンツはディスク上で少なくとも二つの別個の相続くセッションに配置されており、ディスク上の各セッションはリードイン、プログラム領域およびリードアウトを有しており、どのセッションもリードアウトからその同じセッションの制御データを参照するポインタを有さず、当該コピープロテクトされたオーディオディスクが第一のオーディオセッションおよび少なくとも一つのその後のデータセッションを有しており、前記第一のオーディオセッションは、オーディオデータを含むプログラム領域を有しており、前記第一のセッションに関係する第二およびその後のセッション内の制御データが、除去されたり、破損されたり、不正および／もしくは不正確にされたり、あるいはその他の仕方で干渉されたりしていることを特徴とするディスク。
【請求項１２】
請求項１１記載のコピープロテクトされたオーディオディスクであって、干渉が適用された前記制御データが、セッションへのリードインにおける目次（TOC）の中で提供されているか、および／またはその他のナビゲーションデータおよび／もしくはタイミングデータ一般に含まれていたり、それによって構成されていたりしていることを特徴とするディスク。
【請求項１３】
各セッションへのリードインにおいて、オーディオセッション内のオーディオデータが誤ってオーディオではなくデータとして同定されうることを特徴とする、請求項１２記載のコピープロテクトされたオーディオディスク。
【請求項１４】
請求項１１記載のコピープロテクトされたオーディオディスクであって、干渉が適用された前記制御データが、情報についての一つまたは複数の記述子において提供されるものであることを特徴とするディスク。
【請求項１５】
干渉が適用された前記制御データが一次ボリューム記述子内にある、および／または二次ボリューム記述子内にあることを特徴とする、請求項１４記載のコピープロテクトされたオーディオディスク。
【請求項１６】
干渉が適用された前記制御データが一つまたは複数のディレクトリ内にあることを特徴とする、請求項１４記載のコピープロテクトされたオーディオディスク。
【請求項１７】
干渉が適用された前記制御データがアドレス情報内にあることを特徴とする、請求項１１記載のコピープロテクトされたオーディオディスク。
【請求項１８】
干渉が適用された前記制御データがナビゲーションおよび／またはタイミングデータ内にあることを特徴とする、請求項１１記載のコピープロテクトされたオーディオディスク。
【請求項１９】
請求項１１記載のコピープロテクトされたオーディオディスクであって、コンテンツおよび制御データが、光ディスク上で二つだけのセッションに配列されており、第一のセッションはプログラム領域がオーディオデータを含んでいるオーディオセッションであり、第二のセッションはデータセッションであり、前記第二のデータセッションは、第二のセッションのプログラム領域内のデータへのアクセスを可能にする制御データを含む一次ボリューム記述子を有しており、第二のセッションのリードアウトから前記一次ボリューム記述子を参照するポインタが存在しないことを特徴とするディスク。
【請求項２０】
請求項１９記載のコピープロテクトされたオーディオディスクであって、前記第一および第二のセッションは光ディスクに沿って内側領域から外側領域に向けて広がる渦巻き状トラックに沿ってシーケンシャルに配列されており、前記第一のセッションはそのリードインを前記内側領域にもち、前記第二のセッションのリードアウトは前記外側領域にあることを特徴とするディスク。
【請求項２１】
光ディスクにコンテンツおよび制御データを記録する方法であって、当該方法はディスク上にコンテンツを少なくとも二つの別個の相続くセッションにおいて配置するステップを有し、各セッションはリードイン、プログラム領域およびリードアウトをもち、当該方法は前記コンテンツおよび制御データを光ディスク上に、どのセッションもそのリードアウトから同じセッションの何らの制御データを参照するポインタをももたないように記録するステップを有することを特徴とする方法。
【請求項２２】
請求項２１記載の、光ディスクにコンテンツおよび制御データを記録する方法であって、コンテンツおよび制御データは光ディスク上に、どのセッションもそのリードアウトから同じセッションの一次ボリューム記述子を参照またはアドレス指定するポインタを有さないように記録されることを特徴とする方法。
【請求項２３】
光ディスクにコンテンツおよび制御データを記録する方法であって、当該方法は、ディスク上にコンテンツを少なくとも二つの別個の相続くセッションにおいて配置するステップを有し、各セッションはリードイン、プログラム領域およびリードアウトをもち、当該方法は前記コンテンツおよび制御データを光ディスク上に、セッションのリードインにあって該セッションのフォーマットを同定するのに使われる情報が、当該セッションのフォーマットに関わりなくあらかじめ設定されているような仕方で記録するステップを有することを特徴とする方法。
【請求項２４】
請求項２３記載の、光ディスクにコンテンツおよび制御データを記録する方法であって、各セッションのリードインはモード１におけるQデータによって定義されており、そのリードインにおけるPOINTが$A0でありよってリードインにおけるPsecはセッションのフォーマットを同定しており、当該方法がさらに、セッションのフォーマットに関わりなくPsecを00にセットするステップを有することを特徴とする方法。
【請求項２５】
コピープロテクトされたオーディオディスクを提供するために光ディスクにコンテンツおよび制御データを記録する方法であって、当該方法はディスク上にコンテンツを少なくとも二つの別個の相続くセッションにおいて配置するステップを有し、各セッションはリードイン、プログラム領域およびリードアウトをもち、当該方法は前記コンテンツおよび制御データを光ディスク上に、どのセッションもそのリードアウトから同じセッションの何らの制御データを参照するポインタをももたないように記録するステップを有し、当該方法がさらに、第一のオーディオセッションおよび少なくとも一つのその後のデータセッションを提供するようにディスク上に前記コンテンツを配置することを有することを特徴とする方法。
【請求項２６】
請求項２５記載の、コピープロテクトされたオーディオディスクを記録する方法であって、ディスク上に第一のセッションをオーディオデータを含むプログラム領域をもつオーディオセッションとして記録し、前記第一のセッションに関係する第二およびその後のセッションに記録された制御データが、除去されたり、破損されたり、不正もしくは不正確にされたり、あるいはその他の仕方で干渉されたりせしめることをさらに含むことを特徴とする方法。
【請求項２７】
請求項２６記載の、コピープロテクトされたオーディオディスクを記録する方法であって、干渉が適用された制御データが、セッションへのリードインにおける目次（TOC）の中で提供されているか、および／またはその他のナビゲーションデータおよび／もしくはタイミングデータ一般に含まれていたり、それによって構成されていたりしていることを特徴とする方法。
【発明の詳細な説明】
【技術分野】
【０００１】
本発明は、少なくとも二つのセッションにおけるコンテンツおよび制御データを担持する光ディスクに、ならびに少なくとも二つのセッションにおいてコンテンツおよび制御データを光ディスクに記録する方法に関する。
【背景技術】
【０００２】
EP-B-0507403は、光ディスクのような記録担体に、該ディスクのナビゲーションを容易にするため、複数セッションにおいてコンテンツを記録する方法を記載している。
【０００３】
上に指定された特許において記載されているフォーマットでは、以前のセッションすべてからの制御データはその後のセッションの一つ一つにコピーされる。商業ベースのフォーマットでは、当該ディスクの最終セッションのリードアウトが、以前のセッションの存在とともにその最終セッションに固有の制御データを同定する制御データを含んでいる。当該ディスクの高速のナビゲーションのため、各リードアウトから、そのセッションの制御データを参照またはアドレス指定するポインタが提供される。たとえば、各セッションのリードアウトからは、一般に、そのセッションの一次ボリューム記述子を参照するポインタが提供されている。
【発明の開示】
【発明が解決しようとする課題】
【０００４】
本発明は、複数セッション光ディスクのための異なる諸フォーマットを提供しようとするものである。
【課題を解決するための手段】
【０００５】
本発明の第一の側面によれば、コンテンツと該コンテンツへのアクセスを可能にするための制御データとを担持する光ディスクが提供される。前記コンテンツはディスク上で少なくとも二つの別個の相続くセッションに配置されており、ディスク上の各セッションはリードイン、プログラム領域およびリードアウトを有しており、どのセッションもリードアウトからその同じセッションの制御データを参照するポインタは有さない。
【０００６】
具体的には、本発明の諸実施形態の光ディスクに関しては、どのセッションも、そのリードアウトから、その同じセッションの一次ボリューム記述子を参照またはアドレス指定するポインタを有さない。
【０００７】
本発明のこの第一の側面の諸実施形態のフォーマットは、マルチセッションディスクのために従来提供されていたものより単純であり、それでいてデータリーダーは信頼できる形でディスクをナビゲートすることができる。セッション数がたとえば５以下と少なく保たれれば、従来式のフォーマットに比較してディスクをナビゲートするのにかかる時間において感知できるほどの悪化は起こらないと思われる。
【０００８】
よって、今では、これまでマルチセッションディスクをナビゲートするために本質的であると考えられてきた、リードアウトから制御データへの逆行ポインタの使用が必要とされないことが提起される。さらに、マルチセッションディスクのセッション数がたとえばちょうど２に制限されていれば、フォーマットの変更はユーザーには明白でない。
【０００９】
本発明のある特定の実施形態によれば、マルチセッション光ディスクは、当該光ディスクの渦巻き状トラックに沿って内側領域から外側領域に向けてシーケンシャルに配列された複数の個々のセッションを有しており、前記セッションのそれぞれはリードイン、プログラム領域およびリードアウトを有し、前記セッションのどれも前記リードアウトからの、その同じセッションのプログラム領域を参照またはアドレス指定するポインタはもたない。
【００１０】
好ましくは、当該光ディスク上の内側領域から広がる第一のセッションは、プログラム領域に含まれるオーディオデータをもつオーディオセッションである。
【００１１】
前記第一のセッションに続く単数または複数のセッションはそれぞれデータセッションであり、そのそれぞれはそのプログラム領域に一次ボリューム記述子を有する。しかし、各データセッションのリードアウトからは、そのセッションの一次ボリューム記述子を参照またはアドレス指定するポインタは設けられない。
【００１２】
本発明のあるさらなる側面によれば、コンテンツおよび該コンテンツへのアクセスを可能にするための制御データを担持する光ディスクが提供される。前記コンテンツはディスク上で少なくとも二つの別個の相続くセッションに配置されており、ディスク上の各セッションはリードイン、プログラム領域およびリードアウトを有しており、セッションへのリードイン内で該セッションのフォーマットを同定するのに使われる情報が、当該セッションのフォーマットに関わりなくあらかじめ設定されている。
【００１３】
本発明のこのさらなる側面の諸実施形態のフォーマットはマルチセッションディスクのために従来提供されていたものより単純であり、それでいてデータリーダーは信頼できる形でディスクをナビゲートすることができる。
【００１４】
各セッションのリードインは従来、モード１におけるQデータによって定義されており、リードインにおけるPOINTが$A0である場合、リードインにおけるPsecはセッションのフォーマットを同定する。ある実施形態では、セッションのフォーマットに関わりなく、POINTが$A0であるときはそのセッションについてのリードインにおけるPsecは00にセットされる。
【００１５】
本発明は、第一のオーディオセッションおよび少なくとも一つのその後のデータセッションを有するコピープロテクトされたオーディオディスクに特に適用可能である。
【００１６】
たとえば、WO3/034424において記載されているように、ディスク上の第一のセッションは、オーディオデータを含むプログラム領域をもつオーディオセッションであり、第一のセッションに関係する第二およびその後のセッションにおける制御データが、除去されたり、破損されたり、不正もしくは不正確にされたり、あるいはその他の仕方で干渉されたりしている。
【００１７】
第一のセッションを記述する前記第二およびその後のセッションにおける制御データに干渉することによって、第一のオーディオセッションはデータリーダーから事実上「隠される」ことができる。
【００１８】
干渉が適用された前記制御データは、セッションへのリードインにおいて、たとえば目次（TOC:  Table  of  Contents）の中で提供されていてもよいし、あるいはその他のナビゲーションデータおよび／もしくはタイミングデータ一般に含まれていたり、それによって構成されていたりしてもよい。
【００１９】
たとえば、各セッションへのリードインでは、オーディオセッション内のオーディオデータが誤ってオーディオではないデータとして同定されてもよい。
【００２０】
ある実施形態では、干渉が適用された前記制御データは、前記情報についての一つまたは複数の記述子において提供されるものである。たとえば、制御データは一次ボリューム記述子の中でありうる。追加的および／または代替的に、制御データは二次ボリューム記述子内にあってもよい。追加および／または代替として、制御データは一つまたは複数のディレクトリ内にあってもよい。
【００２１】
追加的および／または代替的に、干渉が適用された前記制御データはアドレス情報であってもよい。
【００２２】
追加的および／または代替的に、干渉が適用された前記制御データはナビゲーションおよび／またはタイミングデータであってもよい。
【００２３】
ある好ましい実施形態では、コンテンツおよび制御データは、光ディスク上でちょうど二つのセッションにおいて配列される。第一のセッションはプログラム領域がオーディオデータを含んでいるオーディオセッションであり、第二のセッションはデータセッションであり、前記第二のデータセッションは、第二のセッションのプログラム領域内のデータへのアクセスを可能にする制御データを含む一次ボリューム記述子を有しており、第二のセッションのリードアウトから前記一次ボリューム記述子を参照するポインタはない。
【００２４】
第一および第二のセッションは光ディスクに沿って内側領域から外側領域に向けて広がる渦巻き状トラックに沿ってシーケンシャルに配列されており、第一のセッションはそのリードインを内側領域にもち、第二のセッションのリードアウトは前記外側領域にある。
【００２５】
本発明は、光ディスクにコンテンツおよび制御データを記録する方法にも広がる。当該方法は、ディスク上にコンテンツを少なくとも二つの別個の相続くセッションにおいて配置するステップを有し、各セッションはリードイン、プログラム領域およびリードアウトをもち、当該方法は前記コンテンツおよび制御データを光ディスク上に、どのセッションもそのリードアウトから同じセッションの何らの制御データを参照するポインタをももたないように記録するステップを有する。
【００２６】
具体的には、コンテンツおよび制御データは光ディスク上に、どのセッションもそのリードアウトから同じセッションの一次ボリューム記述子を参照またはアドレス指定するポインタを有さないように記録される。
【００２７】
本発明のあるさらなる側面によれば、光ディスクにコンテンツおよび制御データを記録する方法が提供される。当該方法は、ディスク上にコンテンツを少なくとも二つの別個の相続くセッションにおいて配置するステップを有し、各セッションはリードイン、プログラム領域およびリードアウトをもち、当該方法は前記コンテンツおよび制御データを光ディスク上に、セッションのリードインにあって該セッションのフォーマットを同定するのに使われる情報が、当該セッションのフォーマットに関わりなくあらかじめ設定されているような仕方で記録するステップを有する。
【００２８】
従来では、各セッションのリードインはモード１におけるQデータによって定義されており、そのリードインにおけるPOINTが$A0である場合、リードインにおけるPsecはセッションのフォーマットを同定する。ある実施形態では、当該方法はさらに、セッションのフォーマットに関わりなく、POINTが$A0であるときはそのセッションへのリードインにおけるPsecを00にセットすることを含む。
【００２９】
本発明の方法の諸実施形態においては、第一のオーディオセッションおよび少なくとも一つのその後のデータセッションを有するコピープロテクトされたオーディオディスクを提供するように、コンテンツおよび制御データが光ディスクに記録される。
【００３０】
たとえば、ディスク上の第一のセッションは、オーディオデータを含むプログラム領域をもつオーディオセッションとして記録され、第一のセッションに関係する第二およびその後のセッションに記録された制御データが、除去されたり、破損されたり、不正もしくは不正確にされたり、あるいはその他の仕方で干渉されたりしている。
【００３１】
第一のセッションを記述する前記第二およびその後のセッションにおける制御データに干渉することによって、第一のオーディオセッションはデータリーダーから事実上「隠される」ことができる。
【００３２】
本発明の方法の諸実施形態においては、干渉が適用された前記制御データは、セッションへのリードインにおいて、たとえば目次（TOC:  Table  of  Contents）の中で提供されていてもよいし、および／またはその他のナビゲーションデータおよび／もしくはタイミングデータ一般に含まれていたり、それによって構成されていたりしてもよい。
【００３３】
本発明の諸実施形態について以下に、例として付属の図面を参照しつつ述べる。
【発明を実施するための最良の形態】
【００３４】
音楽を担持し、従来式のCDディスクプレーヤーのようなオーディオプレーヤーで再生されるデジタルオーディオコンパクトディスク（CD-DA:  digital  audio  compact  disc）は、レッドブック規格として知られる標準フォーマットに合わせて作成され、記録される。レッドブックは寸法のようなディスクの物理的属性およびレーザー波長のようなその光学的属性を定義するほか、使用すべき信号フォーマットおよびデータエンコード方式をも定義している。
【００３５】
よく知られているように、レッドブックの諸規格は、それらの諸規格に合わせて製造されたいかなるCD-DAもがそれらの諸規格に合わせて製造されたいかなるオーディオプレーヤーでも再生できることを保証する。
【００３６】
図１は、CD６上の渦巻き状トラック４を概略的に示している。CD-DA上のこの渦巻き状トラック４はディスクの内側領域にあるリードイン８、いくつかの一連の音楽またはオーディオトラック１０およびディスクの外側領域にあるリードアウト１２に分割される。リードイントラック８は、オーディオプレーヤーのためにたどるべき諸トラックを同定する目次（TOC）を含んでいる。リードアウト１２はトラック４が終わろうとしていることを通知する。
【００３７】
オーディオプレーヤーは立ち上げ時に常にリードイントラック８にアクセスする。音楽トラックはその後、読み取りヘッドがリードインからリードアウトに向けてトラック４をたどるのにつれて相続いて再生されうる。あるいはまた、プレーヤーは要求された個々のオーディオトラックの始まりに読み取りヘッドをナビゲートする。
【００３８】
一般に、コンパクトディスクプレーヤーは、リードアウトトラック１２の始まりを越えて読み取りヘッドを動かすことがないようプログラムされる。これは読み取りヘッドを保護するためである。
【００３９】
肉眼には、CD-ROMはCD-DAと全く同じに見え、同じ渦巻き状トラックがセクタに分割されている。しかし、CD-ROMドライブのようなデータリーダーはコンパクトディスクプレーヤーよりもずっと洗練されており、コンパクトディスクの各セクタからデータを読み取って情報を処理することを、そのデータまたは情報の性質に応じて行えるようにされている。データリーダーは各セクタからの情報を読むことによってナビゲートできる。それにより読み取りヘッドが駆動され、要求に応じて渦巻き状トラック４のいかなる適切な部分にアクセスすることもできるのである。
【００４０】
いかなるデータリーダーもいかなるCD-ROMをも読めることを保証するため、コンパクトディスクおよびリーダーは、今度はイエローブック規格として知られる既知の諸規格にも合わせて作成される。これらのイエローブック規格はレッドブック規格を組み込み、それを拡張する。よって、CD-ROMドライブのようなデータリーダーは、CD-DAを再生するよう制御されることができる。
【００４１】
CD-DA上、およびCD-ROM上のデータエンコード方式はよく知られており、適切な規格に基づいているので、ここでは手短に記載するのみとする。
【００４２】
CD上のデータはEFM（8-to-14［eight  to  fourteen］変調）によってフレームにエンコードされる。図２はフレームのフォーマットを示しており、これから明らかなように、各フレームは同期データ、制御および表示シンボルを提供するサブコードビット、データビットおよびパリティビットを有している。各フレームはデータを２４バイト含んでおり、これはCD-DAについてはオーディオデータである。
【００４３】
すべてのフレームには８ビットのサブコードがあり、P,Q,R,S,T,U,V,Wとして示される。一般には、オーディオフォーマットでは、PおよびQのサブコードチャネルのみが使われる。規格によれば、図２のフレーム98個がセクタにまとめられ、その98フレームからのサブコードビットは集められてサブコードブロックを形成する。すなわち、各サブコードブロックは、98個の一連のフレームから一時に１バイトずつ取って構成される。この仕方では、８つの異なるサブチャネルPからWが形成される。これらのサブチャネルはディスクのための制御データを含む。PとQのサブチャネルはディスク上の諸トラックのためのタイミングおよびナビゲーションデータを組み込んでおり、一般にオーディオディスク上で使用されるのはこれらのサブチャネルのみである。
【００４４】
98個の一連のフレームから集成されたQサブチャネルブロックについてのデータフォーマットが図３に示されている。すぐわかるように、サブチャネルブロックの開始は、最初の２シンボルとして同期パターンS0およびS1が出現することによって示される。次のデータビットはトラックの内容を定義するための制御ビットである。こうして、制御ビットはオーディオコンテンツかデータコンテンツかを同定しうる。次いでアドレス情報ADRが続き、これはQデータビットについての４つのモードのうちの一つを指定する。このアドレス情報にQデータの72ビットが続き、次いで１６ＣＲＣビットすなわちチェックビットがある。これは制御、アドレスおよびQデータのビットに対する誤り検出のために使われる。
【００４５】
図４は、アドレス情報ADRによって指定される４つのモードのそれぞれにおける、Qサブチャネルブロックのデータ内容を図解している。モード０では、Qデータのすべては０の値をもつ。モード２では、Qデータは、統一商品コード（Universal  Product  Code）のバーコードのような当該ディスクの登録番号を含む。さらに、モード２では隣接する諸ブロックからの計時のAframe成分が継続される。モード３は、各音楽トラックを同定するためのISRコードを与えるのに使われる。さらに、図示したように、モード３では絶対的な計時Atimeが継続される。
【００４６】
図４で示されるように、モード１では各サブチャネルブロックにおけるQデータは、個々のオーディオトラックについての、およびディスクの情報領域についての、プログラムおよび時間情報を含む。図示したように、リードイン領域のためのQデータについては、プログラム領域およびリードアウト領域内とは異なるフォーマットがある。しかし、モード１のどちらのフォーマットでも、Qデータはトラックに沿った時間についての情報を与える。トラック（track）の再生時間はTtimeと称され、分、秒およびフレームで示され、TMin、TsecおよびTFrameはみなTtimeの成分である。プログラムおよびリードアウト領域においては、Qデータは追加的にディスク上での絶対（absolute）時間についての情報Atimeを含む。これは分、秒およびフレームで示され、Amin、AsecおよびAframeはみなAtimeの成分である。
【００４７】
リードイン領域におけるモード１のQデータは目次（TOC）を提供する。図９は、マルチセッションディスクの第二のセッション内のTOCの一部のエンコードを示している。図９に示されるように、TOCでは、項目は一連のQサブチャネルブロックにおいて３回反復され、リードイン領域の間、完全なTOCが連続的に反復される。Qサブチャネルデータについてのリードイン領域内では、項目Min、Sec、Frameは絶対時間すなわちAtimeを同定する。POINTを０１から９９までの任意の値とすると、Pmin、PsecおよびPframeはPOINTによってポイントされるトラックの開始アドレスを含んでいる。
【００４８】
POINTが$A0にセットされるとき、Pminはプログラム領域における最初のトラック番号を含み、Psecはセッションフォーマットを指定する。下に述べるように、セッションはオーディオセッションであることもできるし、さまざまな種類のデータセッションの一つであることもできる。
【００４９】
POINTが$A1にセットされるとき、Pminはプログラム領域における最後のトラック番号を含み、POINTが$A2にセットされるとき、Pmin、PsecおよびPframeはリードアウト領域の開始アドレスを与える。上で明記したように、プログラム領域内のデータの性質を同定するのは制御ビットである。一般に、CONTROLが0にセットされるとき、それはオーディオトラックを示す。
【００５０】
図５は図的にAtimeおよびTtimeがディスク全体にわたってどのように変化するかを示している。Atimeはディスクにわたる絶対時間であり、プログラム領域の最初で０から始まる。Ttimeは各トラック内での再生時間で、よって各トラックの最初で０から始まる。よって、図５で図解されているように、Atimeはディスク全体にわたって単調に増加するのに対して、Ttimeは個々の各トラックに沿って増加する。図５でも図解されるように、PサブチャネルはフラグFを含んでおり、フラグFのそれぞれは各トラックの開始を示す。Pサブチャネルフラグはまたリードアウト領域をも指示する。
【００５１】
図４で示されるように、モード１では、各サブチャネルブロックは、AtimeおよびTtimeについて連続する次の値を含んでいる。オーディオプレーヤーがオーディオトラックを再生するとき、ヘッドはトラックの始まりにナビゲートされる。ナビゲーションはAtime、Ttimeおよび／またはPサブチャネルフラグによって、あるいはそれらの何らかの組み合わせによって行うことができる。一般に、ひとたびオーディオプレーヤーがトラックの再生を開始したら、それは継続する。
【００５２】
上述したように、リードイン領域におけるモード１のQデータはTOCを提供する。典型的なTOCの一部は図６Ａにおいて表の形で掲げられている。これから、１４の各トラックは１６で時間での、およびリードインの終わりからのセクタでの開始アドレスが与えられることが見て取れる。各トラックは論理ブロックアドレス（LBA:  logical  block  address）１８を有している。これはAtimeから計算され、ディスク上でのトラック開始のアドレスを与える。オーディオディスクのTOCは、２０で示すように、プログラム領域の始まりからリードアウト領域の始まりまでのAtimeをも同定する。しかし、一般にはオーディオプレーヤーがTOCからのリードアウト時間を読んだり使ったりすることはない。
【００５３】
図６Ｂは、図６ＡからのTOCの一部について、WO00/74053において記載されるような方法によってディスクをコピープロテクトするよう改変されたあとのものを、表の形で示している。特に、２０において、ディスクプログラム領域の始まりからリードアウトまでのAtimeが０にセットされていることが見て取れるであろう。これは、リードアウトが第一のオーディオトラックのプレギャップの開始部分にあることを示している。したがって、ディスク６にアクセスするデータリーダーは、このリードインから、当該ディスクがプログラム領域をもたず、リードインのすぐ後にリードアウトが続くことを示す情報を読むことになる。データリーダーは、第一のトラックの開始がリードアウト内であると思い込むため、読み取りヘッドをオーディオトラックの始まりより先に動かすことを拒否する。したがって、データリーダーは図６ＢのTOCをもつディスクを読んだり再生したりすることはできないことになる。
【００５４】
やはりWO00/74053で記載されるように、図６ＢのTOCはある第二の方法でも改変されている。これもデータリーダーが当該ディスク上の情報を適正に利用することを妨げるものである。これに関し、図６Ａおよび６Ｂからすぐわかるように、オーディオディスク上のトラックはみな２２で示すようなオーディオトラックであるが、図６ＢのTOCでは、これらのトラックは誤ってデータトラックとして同定されている。よって、データリーダーは続く諸トラックのそれぞれは、アナログオーディオではなくデジタルデータを含んでいると告げられる。プレーヤーは適切なデータを読もうとするがSYNCまたはセクタヘッダをみつけられないので、こうしたトラックの読み取りはしたがって混乱させられる。
【００５５】
光ディスク上に担持されるデータの種類およびデータフォーマットは、当初のCD-DAが最初に商業的に製造されて以来、各種開発されてきた。たとえば、光ディスクによって担持されるコンテンツは今ではオーディオ、数値または書き込まれたデータのみならず、ビデオ、グラフィック、プログラム、コンピュータおよびその他のデータを含みうる。さらに、光ディスクはもはや、図１に示したようなリードイン８とリードアウト１２の間にコンテンツが広がる単一の情報セッションを含むだけではないこともある。
【００５６】
図７は、実質従来式のマルチセッション光ディスクを示している。そのようなディスクは、たとえば、記録可能光ディスクに内容の追記を可能にするために開発されたが、図７で示されているフォーマットは記録済みのマルチセッションディスクについても使用される。これに関し、マルチセッション光ディスクの制御に関する、およびその読み取りに関するさらなる詳細は、オレンジブックおよびEP-B-0507403において記載されている。
【００５７】
マルチセッションフォーマットにおいては、複数の３０のような別個のセッションは、ディスクの渦巻き状トラックに沿って内側領域から外側領域に向けてシーケンシャルに配列される。各セッションは、それぞれのリードインLIとそれぞれのリードアウトLOの間に、総称して３２で示されるプログラム領域を有する。各セッション３０はオーディオセッションまたはデータセッションでありうる。各セッションは適切な制御データを与えられ、これは一般に同じであり、同一フォーマットであり、あたかも当該セッションがその光ディスク上の唯一のセッションであるがごとくである。
【００５８】
しかし、データリーダーがディスク上の全セッションの存在を認識することを保証するためには、そしてデータリーダーが全セッションをナビゲートできることを保証するため、以前のセッションからの制御データがその後のセッションにおいて繰り返される。こうして、ディスクの最後のセッションへのリードインLIは、そのセッションに固有のリードイン制御データのみならず、全先行セッションからのリードイン制御データをも含む。同様に、各セッションのリードアウトは、各先行セッションのリードアウトからの制御データを含み、その際、最終セッションのリードアウトはその最終セッションに固有の制御データのみならず、全先行セッションのリードアウトからの制御データをも含むことになる。あるいはまた、各リードアウトは、そのセッションに固有の制御データに加えて、以前のセッションの存在を識別する制御データをも含みうる。
【００５９】
データリーダーはリードアウトを比較的すばやく識別できる。これはたとえば、上記した、リードアウト領域を指定するPサブチャネルフラグによる。したがって、データリーダーは一般にはマルチセッション光ディスクをリードアウトを参照することによってナビゲートする。よって、ディスクが最初にロードされたとき、データリーダーは第一のセッションへのリードインへ行き、次いで前方方向にその第一のセッションへのリードアウトを同定するためのスキャンを行うことになる。セッションはシーケンシャルなので、データリーダーは次いでそのリードアウトから次のセッションへのリードインへとナビゲートすることもできる。データリーダーは次いでこれらのステップを反復し、それにより一連のセッションのリードアウトによって最終セッションのリードアウトにアクセスすることができる。これに関し、CDを読む際に、データリーダーはいちばん最後のセッションのリードアウトに最初にアクセスすることが普通である。
【００６０】
マルチセッションディスクが記録済みである場合には、最初のセッションへのリードインの中に、最終セッションへのリードアウトをアドレス指定または参照するポインタが設けられてもよい。これによりデータリーダーは迅速かつ容易に最終セッションへのリードアウトまでナビゲートすることが可能となる。
【００６１】
上で見たように、光ディスク上に記録されるコンテンツの構造については諸規格がある。そのような一つの規格が、光ディスク上のコンテンツの配置を規定するISO9660規格である。これは光ディスク上のコンテンツの配置を規定しており、データセッションのコンテンツを記述するための標準的なインデックスを設けることを要求している。
【００６２】
手短に言うと、単数または複数のデータセッション内のコンテンツはファイルの形で配置される。各ファイルと他のファイルとの相互関係ならびにファイルの位置および属性はディレクトリに記録される。これらのディレクトリは、ルートディレクトリおよび複数のその他のサブディレクトリを用いた階層的な関係に構成される。ファイルとディレクトリが一緒になってボリュームを構成するが、ボリュームにはさらにボリューム記述子、ディレクトリ記述子およびファイル記述子が含まれる。記述子は対応するボリューム、ディレクトリおよびファイルについての記述的な情報を含んでおり、ボリュームの構造についての情報も含む。ボリューム内のコンテンツ全部にアクセスできるようにするために、各ディレクトリは少なくとも一つの別のディレクトリ内で同定されており、ルートディレクトリは一次ボリューム記述子（PVD:  primary  volume  descriptor）において、あるいは補助ボリューム記述子（SVD:  supplementary  volume  descriptor）において同定される。
【００６３】
ISO9660規格はよく知られており、これ以上ここで特定する必要はない。技術的に同一なECMA-119の完全なる詳細がwww.ecma.chで利用可能である。
【００６４】
規格は、一次ボリューム記述子（PVD）５０が３０のようなデータセッションの標準的なリードインLIのあとに生起することを要求している。よって、図７に示すようなマルチセッションディスクでは、各データセッション３０のPVD５０はそのセッションのプログラム領域３２における15番セクタのあとにすぐ与えられる。すなわち、プログラム領域３２の始まりからPVD５０までは16セクタある。
【００６５】
上記したように、データリーダーが光ディスクにアクセスするとき、まず最終セッションのリードアウトLOにナビゲートし、次いで前方方向にスキャンしてそのセッションのPVD５０をみつける。PVD５０は、最終セッション内のファイルについて、そしてまた以前のセッション内のファイルについての情報を提供し、それによりデータリーダーはディスク上のデータにアクセスできるようになる。
【００６６】
図７に図解されているように、従来のマルチセッションディスクでは、そのセッションのプログラム領域３２内のセクタ0をポイントする逆行ポインタPが設けられる。データリーダーは次いで前方方向に16セクタ動いて関連するPVD５０にたどり着く。ポインタPは、そのセッションのプログラム領域３２内のセクタ0を参照する、当該セッションのリードアウト内に設けられたセクタアドレスとして構成されうる。
【００６７】
すべてのマルチセッションディスクが逆行ポインタを具備している。これはたとえばPのようなものであり、当業者によって一般に、そのような逆行ポインタの使用なしでは許容できる時間枠内でマルチセッションディスクを信頼できる形でナビゲートするのは不可能であると考えられている。
【００６８】
しかし、本出願人らは今では、ポインタPを用意することなしでもマルチセッションディスクをナビゲートすることは可能であると認識するに至っている。前記ポインタを省略することは、ディスク上のコンテンツおよび制御データのフォーマットを単純化する。
【００６９】
こうして、本発明のマルチセッション光ディスクのフォーマットは、光ディスクの渦巻き状トラックに沿って内側領域から外側領域に向けて広がるシーケンシャルな複数セッションを有する。各セッションのフォーマットは従来通りでよく、特に、各セッションはリードイン、リードアウトおよびプログラム領域を有する。各プログラム領域内にはボリューム記述子のような適切な制御データが組み込まれうる。しかし、いかなるセッションのリードアウトLOからも同じセッションのプログラム領域へのポインタは設けられていない。
【００７０】
すでに見たように、マルチセッションディスク上での各セッション３０のリードインLIは、モード１のQデータによって定義される。モード１でのリードイン領域のデータ内容は図４に図解されている。レッドブック、CDROM  XAおよびすべてのCD諸規格は、POINTが$A0にセットされるとき、Psecがそのセッションのフォーマットを指定することを要求している。前記諸規格によれば、オーディオセッション（CD-DA）はPsecを00に設定することによって同定される。Psecを他の数値に設定することによって異なる種類のデータフォーマットが同定される。CD-ROMデータフォーマットもPsecを00に設定することによってカバーされることができる。
【００７１】
本出願人らは、今では、データセッションのフォーマットを同定することなくマルチセッションディスクをナビゲートすることが可能であると認識するに至っている。データフォーマットについての情報を省略することは、ディスク上にエンコードされるべき情報を単純化する。
【００７２】
こうして、本発明のマルチセッション光ディスクのフォーマットでは、モード１のリードイン領域において、POINTが$A0であるとき、Psecは00に設定される。これはたとえば、第二のデータセッションのTOCの一部を示す図９におけるフレームN、N+1、N+2において図解される。これらのフレームN、N+1、N+2のそれぞれにおいて、アドレス情報ADRはモード１であり、POINTは$A0でありよってPsecはセッションフォーマットを指定し、Psecは00に設定されていることが見て取れるであろう。リードインLIにおいて指定されたデータフォーマットはリードインによって記述されるデータセッションのフォーマットとは異なるが、それでも当該ディスクはデータリーダーによってナビゲート可能であり、アクセス可能である。
【００７３】
Psecがあらかじめ決められている新しいフォーマットは、上記したように、単独で使ってもよいし、および／またはポインタPが省略されたフォーマットとともに使ってもよい。さらに、上記した新フォーマットのいずれかまたは両方は、他のいかなる変更されたフォーマットと組み合わせて利用してもよい。
【００７４】
図８は、本発明のマルチセッション光ディスクの、さらに当該光ディスク上のオーディオデータをコピープロテクトするはたらきもする好ましい実施形態を示している。図８に示した実施形態では、コピープロテクトされたオーディオディスクはちょうど二つのセッションを有する。すなわち、第一のオーディオセッション４０と第二のデータセッション６０である。データセッション６０は、リードインLI、プログラム領域３２およびリードアウトLOというおなじみの構造を実質有している。また、データセッション内のファイルを同定する制御データを含む一次ボリューム記述子５０も有しているが、図示されるように、セッション６０のリードアウトLOからプログラム領域３２のいかなる部分へのポインタもない。
【００７５】
オーディオセッション４０は、リードインLIとリードアウトLOの間に広がるプログラム領域３２を有している。しかし、これはオーディオセッションであり、プログラム領域はオーディオデータのみを含むので、第一のセッション４０のプログラム領域にはPVDはない。
【００７６】
専用のコンパクトディスク音楽プレーヤーであれ、オーディオディスクを再生するよう制御されたときのより洗練されたCD-ROMドライブであれ、オーディオプレーヤーはレッドブック規格に合わせてエンコードされたデータをさがして、使用するのみであることは理解されるであろう。さらに、データに不正確があると思われる場合には、オーディオプレーヤーは一般に、誤りを訂正しようとするよりは再生を継続する。たとえば、読み取りヘッドがトラックの始まりにナビゲートして、そのトラックの再生を開始したとき、オーディオプレーヤーは、情報にいくらかの誤りがあることが明らかになったとしても、終わりまで再生を継続することになる。こうして、オーディオプレーヤーは図８に示されたディスクのオーディオセッション４０内のオーディオを実質従来の仕方で再生できることになる。しかし、オーディオプレーヤーは、ディスク上に第二のデータセッション６０が設けられていることは見えない。
【００７７】
図８に図解された実施形態では、オーディオセッション４０は、そこに含まれるオーディオ情報をコピープロテクトするために、データリーダーからは「隠される」ことが提案される。このコピープロテクトは、いかなる適切な形を取ってもよい。オーディオ情報をコピープロテクトするためのさまざまな例は、WO03/034424において記載されている。たとえば、図６Ｂで図解されているように、オーディオセッション４０へのリードインLIは、オーディオをオーディオとしてではなくデータとして同定してもよい。これは、データリーダーがオーディオセッション４０のプログラム領域３２におけるオーディオデータを読み取れることを防止する。データセッション６０へのリードインLIは同様にして、オーディオセッション内のデータを誤ってデータとして同定するであろう。
【００７８】
データリーダーがオーディオセッション４０内のオーディオデータを読むことを防止するその他の方法を備えることもできることは理解されるであろう。コピープロテクトについては、本発明は、適切な制御データが不正もしくは不正確にされるということを要求するのみである。それにより、その不正もしくは不正確な制御データによって記述されるいかなるオーディオデータについてもコピープロテクトが提供される。
【００７９】
本発明は一般に、マルチセッションCDについての新しいフォーマットを記載しているが、上記したように、CD-DAのプロテクトに格別の応用をもつものである。よって、ここに記載されたコピープロテクト技術は、ここに記載された新しいフォーマットのいかなるものとともにも、あるいはすべてとともにも使用しうる。図８で図解された光ディスクは、保護されるべきオーディオセッション４０と一緒にダミーデータセッション６０を有していてもよい。しかし、必要であれば、データセッション６０は代替的に、データリーダーにとって有用で利用可能な情報を含んでいてもよい。
【００８０】
記載され、図示された本発明には、付属の請求項によって定義される本出願の範囲内でさらなる修正および変形がなし得ることは理解されるであろう。
【図面の簡単な説明】
【００８１】
【図１】渦巻き状のデータトラックを呈するコンパクトディスクを概略的に示す図である。
【図２】CD上にエンコードされるデータのフレームの構造を示す図である。
【図３】Qサブチャネルの一般的なデータフォーマットを図解する図である。
【図４】Qサブチャネルのためのデータのフォーマットをモードに応じて示す図である。
【図５】コンパクトディスク上のAtimeおよびTtimeの両方を図示する図である。
【図６Ａ】CD-DAの、目次を用いたトラック定義の例を示す図である。
【図６Ｂ】ディスクがコピープロテクトされているときの、図６ＡのCD-DAの目次を示す図である。
【図７】マルチセッションをもつ実質従来式の光ディスクを示し、コンテンツおよび制御データのフォーマットを概略的に図解する図である。
【図８】本発明のマルチセッション光ディスクの実施例を示し、コンテンツおよび制御データのフォーマットを概略的に図解する図である。
【図９】本発明のある実施形態に基づくマルチセッション光ディスクの第二のセッションのリードイン領域におけるTOCのエンコードを示す図である。
【図１】
2007510245.tif 000003
【図２】
2007510245.tif 000004
【図３】
2007510245.tif 000005
【図４】
2007510245.tif 000006
【図５】
2007510245.tif 000007
【図６Ａ】
2007510245.tif 000008
【図６Ｂ】
2007510245.tif 000009
【図７】
2007510245.tif 000010
【図８】
2007510245.tif 000011
【図９】
2007510245.tif 000012
【国際調査報告】
2007510245.tif 000013
2007510245.tif 000014
2007510245.tif 000015